(57)【要約】【課題】複数のふろ昇温機能を有する給湯機において、所望の昇温機能の操作性を向上させた利便性の高い給湯機を提供することを目的としている。【解決手段】浴槽水の昇温機能を複数有する給湯機であって、その給湯機を操作する給湯機用リモコンと、給湯機用リモコンに設けられ、昇温機能に動作指示を行うために昇温機能に対応するよう関係付けられた操作手段と、操作手段の昇温機能との対応関係を変更可能な昇温機能設定変更手段とを備える。【選択図】図３
2011242050.tif 000002
【特許請求の範囲】
【請求項１】
浴槽水の昇温機能を複数有する給湯機を操作する給湯機用リモコンと、
前記給湯機用リモコンに設けられ、前記昇温機能に動作指示を行うために該昇温機能に対応するよう関係付けられた操作手段と、
前記操作手段の前記昇温機能との対応関係を変更可能な昇温機能設定変更手段と、
を備えたことを特徴とする給湯機。
【請求項２】
前記昇温機能設定変更手段による前記昇温機能と前記操作手段との対応関係の変更時に、変更内容を音声および／または表示により使用者に報知する報知手段を、前記給湯機用リモコンに備えたことを特徴とする請求項１に記載の給湯機。
【請求項３】
前記昇温機能設定変更手段による前記昇温機能と前記操作手段との対応関係の設定状態を、前記給湯機用リモコンに表示する表示部を備えたことを特徴とする請求項１または２に記載の給湯機。
【請求項４】
前記昇温機能の設定状態を、前記操作手段の操作により、前記報知手段または前記表示部で報知することを特徴とする請求項１乃至３のいずれか１つに記載の給湯機。
【請求項５】
浴槽水を循環加熱して昇温する追いだき機能と、浴槽に高温の湯を給湯して昇温する高温さし湯機能と、の２つの昇温機能を有する給湯機を操作する給湯機用リモコンと、
前記給湯機用リモコンに設けられ、前記追いだき機能および前記高温さし湯機能の動作を指示する第１の操作手段および第２の操作手段と、
前記第１の操作手段の操作により前記追いだき機能が動作し、前記第２の操作手段の操作により前記高温さし湯機能が動作する、第１設定状態と、
前記第１の操作手段の操作により前記高温さし湯機能が動作し、前記第２の操作手段の操作により前記追いだき機能が動作する、第２設定状態と、
前記第１設定状態または前記第２設定状態のいずれかに設定状態を変更可能な昇温機能設定変更手段と、
を備えたことを特徴とする給湯機。
【請求項６】
前記第１の操作手段が前記給湯機用リモコンの表面に配置されるとともに、前記第２の操作手段は前記給湯機用リモコンの表面を覆う蓋の内側に配置されるとともに、
前記昇温機能設定変更手段により前記第１の操作手段に割りあてられた前記昇温機能の種類を、音声および／または表示により使用者に報知する報知手段を、前記給湯機用リモコンに備えたことを特徴とする請求項５に記載の給湯機。
【請求項７】
前記昇温機能設定変更手段により前記第１の操作手段に対応させた前記昇温機能の動作情報を、前記給湯機用リモコンに表示する表示部を備えたことを特徴とする請求項６に記載の給湯機。
【請求項８】
前記第１の操作手段は、所定時間以上の連続操作により対応する前記昇温機能を動作させるように構成するとともに、
前記第１の操作手段を前記所定時間未満の連続操作の場合は、前記第１の操作手段の前記昇温機能設定変更手段による前記昇温機能の設定状態の情報を、前記報知手段または前記表示部で報知することを特徴とする請求項６または７に記載の給湯機。
【発明の詳細な説明】
【技術分野】
【０００１】
本発明は、複数の浴槽水の昇温機能を備える給湯機に関するものである。
【背景技術】
【０００２】
従来の給湯機は、貯湯タンク内の水を沸き上げる複数の沸き上げモードを有し、冷めてしまった浴槽水を温める昇温機能として、所定量の高温湯を浴槽に注湯することにより温める高温さし湯式の昇温機能（以下、高温さし湯と表現）と、給湯機内に浴槽水を引き込み、内部に設置された熱交換器により加熱して浴槽に戻すことにより温める追いだき式の昇温機能（以下、追いだきと表現）の複数の昇温機能を有し、制御部において、沸き上げモードの選択に付随して、複数有する浴槽水の昇温機能のうちいずれか１つを自動選択するものがあった。
【先行技術文献】
【特許文献】
【０００３】
【特許文献１】特開２００６−１６２２０５号公報
【発明の概要】
【発明が解決しようとする課題】
【０００４】
従来の複数の浴槽水の昇温機能を有する給湯機においては、複数の昇温機能（高温さし湯、追いだき）を動作指示する操作スイッチが、給湯機を操作するリモコンに個別に設定されてはいるが、片側の操作スイッチがリモコン上の開閉式の蓋の内側に配置されていたり、操作の際に複数のスイッチを同時に操作するなどの特殊操作を行わないと動作しない仕様としている場合が多い。これは、類似機能（浴槽水の昇温機能）を１つのリモコンに備えたときユーザの混同を避けるため、いずれかのスイッチを操作しにくいようにしたり、当該リモコンの美観上から、多くのスイッチを表面に並べずに一部を蓋で隠してスッキリした印象を与えようとするためである。この場合、リモコンの蓋の内側に配置されていたり、複数スイッチの同時操作を行う側に割り当てられた昇温機能を多用するユーザにとっては、所望の昇温機能の操作が非常にわずらわしいものとなるという問題があった。
【０００５】
本発明は、上記課題を解決するものであり、複数の浴槽水の昇温機能を有する給湯機において、所望の昇温機能の操作性を向上させた給湯機を提供することを目的とする。
【課題を解決するための手段】
【０００６】
浴槽水の昇温機能を複数有する給湯機であって、その給湯機を操作する給湯機用リモコンと、給湯機用リモコンに設けられ、昇温機能に動作指示を行うために昇温機能に対応するよう関係付けられた操作手段と、操作手段の昇温機能との対応関係を変更可能な昇温機能設定変更手段とを備えたものである。
【発明の効果】
【０００７】
本発明によれば、複数の浴槽水の昇温機能を有する給湯機において、所望の昇温機能の操作性を向上させた給湯機を提供することができる。
【図面の簡単な説明】
【０００８】
【図１】本発明の実施の形態１の給湯機のシステム図である。
【図２】本発明の実施の形態１の給湯機のリモコンの図（ａ）、（ｂ）である。
【図３】本発明の実施の形態１の給湯機の動作フローチャートである。
【図４】本発明の実施の形態１の給湯機のリモコンの表示部の図（ａ）、（ｂ）である。
【発明を実施するための形態】
【０００９】
実施の形態１．
図１は本発明の実施の形態１に係る給湯機の構成を示すシステム図である。給湯機１は、図示を省略したヒートポンプ熱源によって給湯機１に内蔵された貯湯タンク２内の水を湯に沸き上げて貯湯タンク２内に湯を備える。貯湯タンク２の下部には、一端が水道などの水源に接続された給水配管３が接続されており、水源からの市水を貯湯タンク２に供給する。また、この給水配管３からは給水バイパス管３ａが分岐しており、貯湯タンク２の上部に一端を接続され貯湯タンク２上部の湯水を出湯する給湯配管４と、混合弁１１にて接続され、混合弁１１により給水バイパス管３ａからの市水と給湯配管４からの湯水とが混合可能なように構成されている。また、混合弁１１には、給湯配管４からの湯水と給水バイパス管３ａからの市水を混合した混合湯を浴槽８に導くふろ給湯配管９が接続されている。ふろ給湯配管９は、後述の循環配管９ａと注湯配管９ｂとから構成されており、混合弁１１には注湯配管９ｂの一端が接続されている。
【００１０】
貯湯タンク２の上下部には放熱用循環回路５が接続されており、この放熱用循環回路５は、貯湯タンク２内に貯湯された湯と浴槽８内の浴槽水とを熱交換する熱交換器６と、貯湯タンク２内の湯を貯湯タンク２の上部から取り出して熱交換器６の１次側回路を経由して貯湯タンク２の下部に戻す循環ポンプ７と、を含んで構成されている。また浴槽８には、浴槽８内の浴槽水を取り出して熱交換器６の２次側回路を経由して浴槽８内に戻す回路である循環配管９ａが接続されており、循環配管９ａには浴槽８から熱交換器６を経由して再び浴槽８へ浴槽水を循環させる循環ポンプ１０が備えられている。また、循環配管９ａには、注湯配管９ｂの他端側が接続されており、混合弁１１からの混合湯を注湯配管９ｂを経由して浴槽８に導くように構成されている。開閉弁１２は、ふろ給湯配管９の注湯配管９ｂの途中に設けられており、浴槽８への混合湯を供給、遮断する機能を備えている。また、給湯機１に内蔵された制御部１ａは、前述のヒートポンプ熱源、混合弁１１、循環ポンプ７、循環ポンプ１０、開閉弁１２と電気的に接続されており、それらの動作を制御することにより、給湯機１の制御を行う。
【００１１】
また、給湯機１を遠隔操作するために、浴室内の壁面に設置され、蛇口や浴槽などの出湯先への出湯温度や浴槽への湯はり湯量等の設定値の変更や、浴槽水の昇温機能、ふろ給湯機能等の動作及び停止を命令する浴室リモコン１３と、台所や洗面所等の壁面に設置され、ふろ給湯機能等の動作および停止を命令する台所リモコン１４とが設けられている。浴室リモコン１３および台所リモコン１４は、給湯機１の制御部１ａと電気的に接続されており、ユーザの操作（命令）を制御部１ａに送るとともに、給湯機１の動作状態を各リモコンの後述する表示部１５やスピーカ２１などから報知することにより、給湯機１を遠隔操作可能に構成されている。また給湯機１は、冷めてしまった浴槽水を温める昇温機能として、混合弁１１で例えば６０℃に調整した高温の湯をふろ給湯配管９より浴槽８内に給湯し浴槽水の温度を昇温する高温さし湯機能と、浴槽水を循環ポンプ１０により循環配管９ａに導き、一方で貯湯タンク２上部の高温の湯を循環ポンプ７により放熱用循環回路５に導き、両者を熱交換器６で熱交換して浴槽水を加熱昇温し浴槽８に戻す追いだき機能と、を備えており、各昇温機能を動作させるスイッチ（詳細後述）が浴室リモコン１３に設けられている。
【００１２】
図２は、本発明の実施の形態１に係わる浴室リモコン１３を示す図であり、図２（ａ）は、浴室リモコン１３の蓋１７が開いている状態を示し、図２（ｂ）は、浴室リモコン１３の蓋１７が閉じた状態を示している。浴室リモコン１３には、給湯機１の動作状態やユーザの操作による操作状態を表示する表示部１５と、ユーザによる操作や給湯機１の動作に対応して操作の受付音や動作音などを音や音声でユーザに報知するスピーカ２１と、開閉可能に構成され閉じた状態では浴室リモコン１３の下側の面を覆う蓋１７と、が設けられている。また、浴室リモコン１３には、蓋１７を閉じた状態でも蓋１７で覆われない位置に配置され、給湯機１に追いだきによる昇温動作を指示するための入力スイッチであるあつくスイッチ１６（本実施の形態では３秒間押し続けると動作）と、蓋１７が閉じたときには蓋１７によって覆われる位置に配置され、あつくスイッチ１６と同時に所定時間（本実施の形態では３秒間）押し続ける操作をして給湯機１に高温さし湯による昇温動作を指示するたっぷりスイッチ１８と、が設けられている。
【００１３】
また、浴室リモコン１３には、蓋１７が閉じたときには蓋１７によって覆われる位置に、各昇温動作（追いだき、高温さし湯）とその昇温動作を指示するための各操作スイッチ（あつくスイッチ１６、たっぷりスイッチ１８）との対応関係を設定（変更）する際の入力手段となる選択スイッチ１９および決定スイッチ２０が配置されている。対応関係の設定（変更）は、決定スイッチ２０を所定時間（本実施の形態では３秒間）以上押すと、制御部１ａがこれを検出して昇温機能設定モードに入り、選択スイッチ１９にて昇温機能と各操作スイッチとの対応関係を設定変更（選択）し、決定スイッチ２０により選択結果の確定を行うという手順で行う。なお、表示部１５内の昇温モード表示部１５ａは、あつくスイッチ１６を操作した場合に動作する浴槽水の昇温機能が、追いだきまたは高温さし湯のいずれに関連づけられているかを表示するように構成されており、本実施の形態においては初期状態では、追いだきによる昇温機能があつくスイッチ１６に関連づけられているので、図２（ａ）のように、昇温モード表示部１５ａには、「追いだき」と表示されている。
【００１４】
ここで、追いだきを浴槽水の昇温動作時に多用するユーザの場合は、浴室リモコン１３のあつくスイッチ１６を操作するだけで昇温動作を指示でき利便性が良いが、高温さし湯を浴槽水の昇温動作時に多用するユーザの場合、蓋１７を開けてたっぷりスイッチ１８を露出させたあと、あつくスイッチ１６とたっぷりスイッチ１８とを同時に３秒以上押し続けることが必要となり操作が非常に煩わしい。そこで、本発明では以下に述べる方法で高温さし湯を多用するユーザにも利便性を享受できる手段を提供する。
【００１５】
図３は、本発明の実施の形態１に係わる各昇温動作（追いだき、高温さし湯）とその昇温動作を指示する各操作スイッチ（あつくスイッチ１６、たっぷりスイッチ１８）との対応関係を設定（変更）するフローを示したフローチャートである。以下、図３のフローチャートと適宜図２を参照し、各操作スイッチの対応関係を設定（変更）する方法を説明する。
【００１６】
ステップＳ１では、あつくスイッチ１６を操作したときの給湯機１の昇温動作の割り当て（対応状態）が追いだきに設定されているかどうかを制御部１ａが判断する。ステップＳ１で、制御部１ａが追いだきに設定されていると判断した場合、図中のＹＥＳ方向に進みステップＳ２に至り、制御部１ａは浴室リモコン１３の昇温モード表示部１５ａに「追いだき」と点灯させ、ステップＳ４に進む。ステップＳ１にて追いだきに設定されていない（すなわち、高温さし湯に設定されている）と判断した場合、図中のＮＯ方向に進みステップＳ３に至り、制御部１ａは浴室リモコン１３の昇温モード表示部１５ａに「高温さし湯」と点灯させ、ステップＳ４に進む。
【００１７】
ステップＳ４では、浴室リモコン１３からユーザが昇温動作の設定変更をするための操作を開始したかどうかを、決定スイッチ２０が所定時間（ここでは３秒間）以上連続で押されたかどうかによって制御部１ａが判断する。制御部１ａが決定スイッチ２０を３秒以上連続して押されたと判断すると、図中のＹＥＳ方向に進みステップＳ５に至り、昇温機能の対応関係設定モードに入り、これをユーザに報知するために、現在あつくスイッチ１６に割り当てられている昇温機能を表示した昇温モード表示部１５ａの「追いだき」の表示（図２参照）を点滅状態となるように変更し、ステップＳ６に至る。また、ステップＳ４で決定スイッチ２０が３秒以上連続で押されていない場合は、図中のＮＯ方向に進みステップＳ４でループ状態のまま、ユーザによる設定変更操作が開始されるまで待機する。
【００１８】
ステップＳ６では、ユーザが昇温モード表示部１５ａの「追いだき」の表示が点滅状態となったことで、昇温機能の対応関係設定モードに入ったことを認識し、選択スイッチ１９により、あつくスイッチ１６に対応させる昇温機能を、追いだきか高温さし湯のいずれかに選択する。この選択中には、選択スイッチ１９の操作の度に、昇温モード表示部１５ａの表示を「追いだき」と「高温さし湯」に変更し、ユーザに選択状況を報知するように構成してよい。あつくスイッチ１６と昇温動作の対応関係を選択した後、ユーザは決定スイッチ２０を所定時間（ここでは３秒間）以上押し、その選択を決定したことを制御部１ａに指示する。
【００１９】
続いてステップＳ７で、制御部１ａは決定スイッチ２０を３秒間以上連続で操作されたかを判断し、前述のように操作された場合はステップＳ８に至り、まだユーザが選択中で操作されていない場合は、ステップＳ７でループ状態のまま待機する。
【００２０】
ステップＳ８では、ユーザによってあつくスイッチ１６に対応する昇温動作に追いだきが関連付けられたかどうかを制御部１ａが判断し、追いだきが関連付けられた場合は、図中のＹＥＳ方向に進みステップＳ９に至り、あつくスイッチ１６が操作された場合の昇温動作に追いだきを関連付け、あつくスイッチ１６とたっぷりスイッチ１８が同時押しされた場合には昇温動作に高温さし湯を関連付けるように制御部１ａが給湯機１の設定を変更しステップＳ１１に至る。また、追いだきが関連付けられていない場合、すなわち高温さし湯が関連付けられた場合は、図中のＮＯ方向に進みステップＳ１０に至り、あつくスイッチ１６が操作された場合の昇温動作に高温さし湯を関連付け、あつくスイッチ１６とたっぷりスイッチ１８が同時押しされた場合には昇温動作に追いだきを関連付けるように制御部１ａが給湯機１の設定を変更しステップＳ１２に至る。
【００２１】
ステップＳ１１では、あつくスイッチ１６が操作された場合の昇温動作に追いだきが関連付けられているので、制御部１ａは昇温モード表示部１５ａの表示を「追いだき」の点灯表示に変更して、対応関係の設定モードを終了する。また、ステップＳ１２では、あつくスイッチ１６が操作された場合の昇温動作に高温さし湯が関連付けられているので、制御部１ａは昇温モード表示部１５ａの表示を「高温さし湯」の点灯表示に変更して、対応関係の設定モードを終了する。
【００２２】
以上のように本発明によれば、浴室リモコン１３の蓋１７で覆われず操作が簡単で利便性の高いあつくスイッチ１６で命令される昇温動作を、追いだきによる昇温動作と高温さし湯による昇温動作の２つの浴槽水の昇温動作のうちいずれか１つが対応して動作するようユーザが任意に設定することができ、ユーザ毎に異なる使用頻度の高い昇温動作を利便性の高いスイッチ側に設定することが可能で、昇温動作での煩わしさを軽減させ、利便性を向上することができる。
【００２３】
なお、昇温機能を関連付ける設定操作を行った際、あつくスイッチ１６に関連付けられた昇温機能を、スピーカ２１を用いて音声によってユーザへ知らせるように構成してもよい。すなわち、図３のステップＳ１１やステップＳ１２において、スピーカ２１により、昇温モード表示部１５ａに表示する昇温動作がどちらになったかをユーザに音声で知らせるようにしてもよい。これにより、ユーザは設定変更をより的確に認知することができる。
【００２４】
また、ユーザがあつくスイッチ１６を操作し昇温動作の開始を指示した場合は、選択された昇温動作を音声によりスピーカ２１から報知するように構成してもよい。また、図４（ａ）及び図４（ｂ）に示すように、昇温動作に合わせて浴室リモコン１３の表示部１５内に、各昇温動作に対応する表示（追いだきの場合は、図４（ａ）の１５ｂの表示、高温さし湯の場合は、図４（ｂ）の１５ｃの表示）を行ってもよい。このように音声と表示のいずれか、または両方でユーザに報知することにより聴覚や視覚的にも認知度を高めることもできる。この場合も、前述と同様の効果を奏しながら、ユーザへの昇温機能の動作状態を報知することが可能である。
【００２５】
なお、通常昇温動作開始を入力する場合、浴槽に熱い湯が注入されるため、安全を考慮し浴室リモコン１３の入力操作を所定の時間以上（上述の実施の形態１では３秒間）行わせ、ユーザに熱い湯を注入する操作であることを認識させるとともに、誤操作による不意の動作を避けるような制御となっている。このとき、例えば所定の時間未満の操作に対応して、現状の昇温機能のあつくスイッチ１６の割りあて状態を、スピーカ２１から音声ガイダンスで報知（例えば、「追いだき機能に設定されています」等）するように構成してもよい。この場合、前述の実施の形態と同様の効果を奏するとともに、昇温動作の前、あるいは昇温動作を行わない場合（所定の時間未満の操作による確認のみ）でも聴覚だけで、設定状態を把握することが可能であり、安全性と利便性が向上する。
【００２６】
以上のように本発明によれば、浴室リモコン１３の蓋１７で覆われず操作が簡単で利便性の高いあつくスイッチ１６で命令される昇温動作を、追いだきによる昇温動作と高温さし湯による昇温動作の２つの浴槽水の昇温動作のうちいずれか１つが対応して動作するようユーザが任意に設定することができ、ユーザ毎に異なる使用頻度の高い昇温動作を利便性の高いスイッチ側に設定することが可能で、昇温動作での煩わしさを軽減させ、利便性を向上させた給湯機を提供することができる。
【符号の説明】
【００２７】
１  給湯機
１ａ  制御部
２  貯湯タンク
３  給水配管
３ａ  給水バイパス管
４  給湯配管
５  放熱用循環回路
６  熱交換器
７  循環ポンプ
８  浴槽
９  ふろ給湯配管
９ａ  循環配管
９ｂ  注湯配管
１０  循環ポンプ
１１  混合弁
１２  開閉弁
１３  浴室リモコン
１５  表示部
１５ａ  昇温モード表示部
１５ｂ  追いだき表示
１５ｃ  高温さし湯表示
１６  あつくスイッチ
１７  蓋
１８  たっぷりスイッチ
１９  選択スイッチ
２０  決定スイッチ
２１  スピーカ
【図１】
2011242050.tif 000003
【図２】
2011242050.tif 000004
【図３】
2011242050.tif 000005
【図４】
2011242050.tif 000006